(57)【要約】      （修正有）【課題】比較的簡単な構成で、表示パネルの駆動回路から輻射されるノイズが、無線通信用機器の通信特性に悪影響を及ぼすことを抑制できるノイズ低減装置を提供する。【解決手段】導電性背面カバー１９を有する液晶パネル１８を金属筐体の内部に配置したノートパソコンに組み込まれるノイズ低減装置であって、前記導電性背面カバーと前記金属筐体との間隙を封止する導電性ガスケット５０を、前記液晶パネルの表示駆動回路を実装した表示モジュール基板と前記ノートパソコンに内蔵された無線通信用アンテナのアンテナ基板Ａｎとの間に配設した。【選択図】図１０
2011082320.tif 000002
【特許請求の範囲】
【請求項１】
導電性背面カバーを有する表示パネルを金属筐体内部に配置した電子機器に組み込まれるノイズ低減装置であって、
前記導電性背面カバーと前記金属筐体との間隙を封止する導電性ガスケットを、前記表示パネルの表示駆動回路と前記電子機器に内蔵された無線通信電波を送受信する送受信面との間に配設して成る、ことを特徴とするノイズ低減装置。
【請求項２】
前記導電性背面カバーと前記導電性ガスケットとの間に導電性の遮光層が介装されている、ことを特徴とする請求項１に記載のノイズ低減装置。
【請求項３】
前記導電性背面カバーと前記導電性ガスケットとの間に絶縁性の遮光層が介装されており、該遮光層に、前記導電性背面カバーと前記導電性ガスケットとを導通させる導通部が設けられている、ことを特徴とする請求項１に記載のノイズ低減装置。
【発明の詳細な説明】
【技術分野】
【０００１】
本発明は、例えばノート型パーソナルコンピュータ（以下、適宜、「ノートパソコン」と略称する）など、表示パネルを備えた電子機器内に組み込まれるノイズ低減装置に関する。
【背景技術】
【０００２】
従来、例えばノートパソコン等の電子機器に備えられる表示パネルは、多くの場合、その背面側の少なくとも一部を例えば鋼板製の背面カバーで覆った上で、筐体内部に配置されている。また、特に、携帯性が求められるノートパソコン等の電子機器については、その筐体が、堅牢性を確保する等のために、例えばマグネシウム（Ｍｇ）などの金属材料を用いて製作される場合もある。
【０００３】
周知のように、例えば液晶式パネルなどの前記表示パネルは、通常、当該表示パネルに付設された表示モジュール基板上の表示駆動回路によって、その表示が駆動制御される。そして、表示パネルの表示動作中においては、前記表示駆動回路から電波ノイズが輻射（放射）される。つまり、表示モジュール基板上の表示駆動回路は、電波的には一種のノイズ源としての一面を有していることになる。
【０００４】
ところで、近年では、外部との無線通信機能を有する電子機器が広範に普及しており、例えばノートパソコン等の電子機器についても、外部との無線通信のために無線通信用機器としてのアンテナを内蔵したものが多くなって来ている。この場合、無線通信用アンテナと前記表示駆動回路との電波的な干渉が問題となる。つまり、表示駆動回路から輻射されるノイズが、無線通信用アンテナのアンテナ特性（特に受信感度）に悪影響を及ぼすという問題が生じる。
【０００５】
この問題に対して、ノイズ源である表示駆動回路を実装した表示モジュール基板を導電体テープ等で被覆することでノイズの低減を図る方法が知られている。例えば、特許文献１には、導電繊維や導電シート等でなる導電体層を含むシート状の放射ノイズ抑制体を、回路基板に実装されたＣＰＵの上面に貼着して、回路基板から放射されるノイズを低減するようにした構成が開示されている。
【先行技術文献】
【特許文献】
【０００６】
【特許文献１】特開２０００−１３３９８６号公報
【発明の概要】
【発明が解決しようとする課題】
【０００７】
しかしながら、前記従来のように表示モジュール基板を導電体テープ等で覆う方法では、導電体テープ等の貼着作業に手間が掛かる上、基板を導電体で覆うことに伴って当該基板に絶縁物を設置する必要が生じ、部品点数の増加と作業工数の更なる増大を招くという問題があった。
【０００８】
本発明は、かかる技術課題に鑑みてなされたもので、比較的簡単な構成で、電子機器の表示パネルの表示駆動回路から輻射されるノイズが、同じ電子機器に内蔵された無線通信用機器の通信特性に悪影響を及ぼすことを抑制できるノイズ低減装置を提供することを、基本的な目的とする。
【課題を解決するための手段】
【０００９】
このため、本発明に係るノイズ低減装置は、導電性背面カバーを有する表示パネルを金属筐体内部に配置した電子機器に組み込まれるノイズ低減装置であって、前記導電性背面カバーと前記金属筐体との間隙を封止する導電性ガスケットを、前記表示パネルの表示駆動回路と前記電子機器に内蔵された無線通信電波を送受信する送受信面との間に配設して成る、ことを特徴としたものである。
【発明の効果】
【００１０】
本発明によれば、表示パネルの表示駆動回路と電子機器に内蔵された無線通信電波を送受信する送受信面との間に、表示パネルの導電性背面カバーと電子機器の金属筐体との間隙を封止する導電性ガスケットが配設されているので、表示駆動回路と前記送受信面との間が導電体で塞がれることとなり、表示駆動回路からのノイズが前記送受信面に輻射されることを抑制できる。すなわち、表示パネルの導電性背面カバーと電子機器の金属筐体との間隙を導電性ガスケットで封止するだけの比較的簡単な構成で、表示駆動回路から輻射されるノイズが無線通信電波を送受信する前記送受信面に及ぼす影響を軽減することができる。
【図面の簡単な説明】
【００１１】
【図１】実施形態に係るノートパソコンの使用可能状態を示す全体斜視図
【図２】前記ノートパソコンの不使用状態を示す全体斜視図
【図３】前記ノートパソコンの不使用状態における平面図
【図４】前記ノートパソコンの不使用状態における側面図
【図５】前記ノートパソコンの第１筐体の構成を概略的に示す分解斜視図
【図６】前記第１筐体のアンテナ取付部を拡大して示す拡大正面図
【図７】前記アンテナ取付部の下方にガスケットを装着した状態を示す拡大正面図
【図８】前記第１筐体に配置された液晶パネルの前記ガスケットに対応する部分を拡大して示す拡大正面図
【図９】図８のＹ９−Ｙ９線に沿った縦断面図
【図１０】図８のＹ１０−Ｙ１０線に沿った縦断面図
【発明を実施するための形態】
【００１２】
本発明のノイズ低減装置は、上述の構成を基本として、以下のような態様をとることができる。すなわち、上述の構成のノイズ低減装置において、前記導電性背面カバーと前記導電性ガスケットとの間に導電性の遮光層が介装されていてもよい。
【００１３】
この場合には、表示パネルの導電性背面カバーの背面が遮光層で覆われる場合であっても、当該遮光層が導電性であるので、表示パネルの導電性背面カバーと電子機器の金属筐体との間隙は、導電性の遮光層と導電性ガスケットとで封止される。従って、上述の構成を採用した場合と同様の作用効果を奏することができる。
【００１４】
或いは、本発明のノイズ低減装置は、上述の構成を基本として、以下のような態様をとることができる。すなわち、上述の構成のノイズ低減装置において、前記導電性背面カバーと前記導電性ガスケットとの間に絶縁性の遮光層が介装されており、該遮光層に、前記導電性背面カバーと前記導電性ガスケットとを導通させる導通部が設けられているようにしてもよい。
【００１５】
この場合には、表示パネルの導電性背面カバーの背面が遮光層で覆われ、しかも、この遮光層が絶縁性の場合であっても、前記導電性背面カバーと前記導電性ガスケットとは、遮光層に設けた導通部によって導通しているので、表示パネルの導電性背面カバーと電子機器の金属筐体との間隙は、前記導通部を介して導電性ガスケットで封止される。従って、上述の構成を採用した場合と同様の作用効果を奏することができる。
【００１６】
（実施の形態）
以下、本発明の実施形態について、所謂ノートパソコンを例にとって、添付図面を参照しながら詳細に説明する。
尚、以下の説明では、特定の方向を意味する用語（例えば、「上」、「下」、「左」、「右」、およびそれらを含む他の用語、「時計回り方向」、「反時計回り方向」）を使用する場合があるが、それらの使用は図面を参照した発明の理解を容易にするためであって、それらの用語の意味によって本発明は限定的に解釈されるべきものではない。
【００１７】
図１及び図２は、本実施形態に係るノートパソコンの使用可能状態（開状態）および不使用状態（閉状態）をそれぞれ示す斜視図である。また、図３及び図４は、前記ノートパソコンの不使用状態における平面図および側面図である。
【００１８】
これらの図に示すように、本実施形態に係る情報処理装置としてのノートパソコンＷは、例えば液晶式とされた表示パネル画面を有する表示部１０と、該表示部１０に入力される表示信号を生成し得る操作制御部３０とを備えている。該操作制御部３０は、キーボード等の入力装置３２、該入力装置３２による入力操作等に基づいて表示部へ出力する表示信号を生成する信号処理回路や中央演算処理装置（所謂ＣＰＵ）、更にはそれらの周辺部品（何れも不図示）などを含むものである。また、ユーザ（使用者）がノートパソコンＷを操作する操作状態において当該ユーザから見てキーボード３２の手前側には、タッチパッド３３が設けられており、ユーザはこのタッチパッド３３を上下左右になぞるだけで、カーソルの移動や表示画面１２のスクロール等を行うことができる。
【００１９】
前記表示部１０は、表示部側の筐体１１（第１筐体）に格納されてその周縁および背面が覆われており、一方、制御操作部３０は操作制御部側の筐体３１（第２筐体）に格納され、両筐体１１，３１は、ヒンジ機構２０により開閉可能に結合されている。
より詳しく説明すれば、第１筐体１１および第２筐体３１は共に、平面視における全体としての基本形状が略長方形状に形成されており、その一辺１１ｒ，３１ｒ側（つまり、閉じ合わされたノートパソコンＷのユーザから見た後辺側）どうしをヒンジ機構２０を介して結合することにより、ヒンジ軸２１（図４参照）を中心にして両筐体が相対的に開閉動作を行えるようになっている。尚、本明細書において、前記「長方形」とは、その一形態として「正方形」である場合を含むものである。
【００２０】
図５は、第１筐体１１の構成を概略的に示す分解斜視図である。この図に示すように、第１筐体１１は、正面視で四辺形の枠状をなすベースフレーム１４（図１参照）と、該ベースフレーム１４と対向配置される背面パネル１５と、該背面パネル１５の上部に接合される上部カバー１６とで構成されている。尚、前記ベースフレーム１４の基端側（図１における下側）の左右両端部には、ヒンジ機構２０のカバー体２５（ヒンジカバー）が一体に形成されている。尚、かかるヒンジカバー２５をベースフレーム１４とは別体に設けても良い。
【００２１】
表面がガラス板で覆われた液晶パネル１８は、ベースフレーム１４と背面パネル１５及び上部カバー１６との間に保持される。この背面パネル１５と上部カバー１６とを一体的に接合することで、第１筐体１１の外板１７（アウタパネル）が構成されている。
また、前記液晶パネル１８の下端側には、その表示を駆動制御する表示駆動回路を実装した表示モジュール基板Ｓｄが付設されている。
【００２２】
前記背面パネル１５は、好ましくは機械的剛性等の点で、例えばマグネシウム（Ｍｇ）等の金属製であり、ベースフレーム１４は、好ましくは、例えばプラスチック製である。また、上部カバー１６は、例えば天井パネル１６ａ等を含む一部がプラスチック製で、他の部分は例えばマグネシウム等の金属製である。尚、第２筐体３１の主要部分も、好ましくは機械的剛性等の点で、例えばマグネシウム等の金属製である。
【００２３】
本実施形態では、前記第１筐体１１側に、外部との無線通信用のアンテナＡｎが取り付けられる。この無線通信用アンテナＡｎとしては、基板（アンテナ基板）上に無線通信電波を送受信する送受信面（以下、「アンテナパターン」と称する）を構成した薄型でコンパクトなものが採用されている。尚、かかる無線通信用アンテナＡｎをノートパソコンＷの筐体に取り付ける場合、より良好なアンテナ特性を確保するためには、一般に、使用時にユーザの手指が触れ易い操作制御部側の第２筐体３１よりも表示部側の第１筐体１１に取り付ける方が好ましい、とされている。
【００２４】
また、表示部側の第１筐体１１にアンテナを取り付ける場合、アンテナ基板Ａｎの液晶パネル１８からの距離（つまり、液晶パネル１８の表示モジュール基板Ｓｄからの距離）を大きく保つほど、表示モジュール基板Ｓｄに実装されたノイズ発生源としての表示駆動回路から遠くなり、より良好なアンテナ特性が得られることが知られている。
このため、本実施形態では、第１筐体１１の前記一辺１１ｒ側（ヒンジ側）と対向する他辺１１ｆ側（図１及び図４参照）の端部に位置する上部カバー１６の天井パネル１６ａの内面に沿って、アンテナ基板Ａｎが配置されている。尚、本実施形態では、上部カバー１６の天井パネル１６ａの左右両端の近傍に、アンテナ基板Ａｎがそれぞれ１枚ずつ配置されている。
【００２５】
図６は、前記第１筐体１１のアンテナ取付部を拡大して示す拡大正面図、また、図７は、前記アンテナ取付部の下方に後述するガスケットを装着した状態を示す拡大正面図である。これらの図に詳しく示すように、アンテナ基板Ａｎは、プラスチック製の天井パネル１６ａと平行に延びるように配置され、該天井パネル１６ａの内面に、例えば接着剤を適用して貼り付けられている。
【００２６】
尚、図６及び図７において、上部カバー１６の天井パネル１６ａを除く部分は、例えばマグネシウム（Ｍｇ）等の金属製であり、アンテナ基板Ａｎは、その側端部の近傍が、金属製のクリップ金具４１を介して、上部カバー１６の金属部分に接続されて接地されている。また、前記クリップ金具４１には、アンテナ基板Ａｎ上のアンテナ素子に接続されたアンテナケーブル４２の接続端部の近傍が保持されている。
【００２７】
本実施形態では、液晶パネル１８の表示モジュール基板Ｓｎと（つまり、表示駆動回路と）アンテナ基板Ａｎとの間、より好ましくは、アンテナ基板Ａｎの直下方空間を、表示駆動回路から輻射されるノイズに対して封止するために、導電性ガスケット５０（図７参照）を用いるようにしている。この導電性ガスケット５０は、導電性が付与された例えばゴム又は軟質樹脂など柔軟性の高い材料を用いて、後述する図９及び図１０に示されるように、より好ましくは中空状に形成されている。
【００２８】
図６に示されるように、前記アンテナ基板Ａｎの取付部分の所定距離下方には、前記導電性ガスケット５０を載置させ、例えば接着剤を適用して固定するための金属製のガスケット装着部４５が、アンテナ基板Ａｎと略平行に延設されている。該ガスケット装着部４５は、第１筐体１１の上部カバー１６の金属部分と一体的に形成され、導電性ガスケット５０を載置させる受け面４５ｆと、導電性ガスケット５０の側部を受け止める縦壁４５ｗとを備えている。
【００２９】
図８は、第１筐体１１に配置された液晶パネル１８の前記導電性ガスケット５０に対応する部分を拡大して示す拡大正面図であり、また、図９，図１０は、それぞれ図８のＹ９−Ｙ９線，Ｙ１０−Ｙ１０線に沿った縦断面図である。
図９及び図１０から良く分かるように、液晶パネル１８の背面側には導光パネル１８ｈが付設され、更にその背面側には、例えば鋼板製の導電性背面カバー１９が配置されている。本実施形態では、更にまた、その背面側に遮光層としての遮光テープ１３が貼り付けられている。この遮光テープ１３は、液晶パネル１８のバックライトの光が漏れて表示画面１２側に回り込み、表示性を悪化させることを防止するものである。
【００３０】
本実施形態では、この遮光テープ１３として絶縁性のものが用いられている。従って、導電性ガスケット５０の伸長方向（図８における左右方向）の大部分については、図９に示されるように、導電性背面カバー１９と導電性ガスケット５０とは接触しておらず、遮光テープ１３によって両者間の導通は遮断されている。
しかし、図８に示すように、遮光テープ１３の端末縁部はジグザグの傾斜状に形成されており、その傾斜の交差部には、導電性背面カバー１９の背面まで延びる切欠部１３ｋが設けられている。従って、図１０に示されるように、この切欠部１３ｋを設けた部分については、導電性ガスケット５０の弾性変形により、当該導電性ガスケット５０と導電性背面カバー１９とが直接に接触しており、両者間が導通するようになっている。
【００３１】
このような切欠部１３ｋを遮光テープ１３に設けたことにより、液晶パネル１８の導電性背面カバー１９の背面が遮光テープ１３で覆われ、しかも、この遮光テープ１３が絶縁性の場合であっても、導電性背面カバー１９と導電性ガスケット５０とが導通するので、液晶パネル１８の導電性背面カバー１９と第１筐体１１の金属製上部カバー１６との間隙は、前記切欠部１３ｋを介して導電性ガスケット５０で封止される。これにより、アンテナ基板Ａｎの直下方空間Ｈｓを、表示駆動回路から輻射されるノイズに対して封止することができる。
【００３２】
すなわち、液晶パネル１８の表示駆動回路と（つまり、表示モジュール基板Ｓｄと）第１筐体１１に内蔵された無線通信用のアンテナ基板Ａｎとの間に、液晶パネル１８の導電性背面カバー１９と第１筐体１１の金属製上部カバー１６との間隙を封止する導電性ガスケット５０が配設されているので、表示駆動回路とアンテナ基板Ａｎとの間が導電体で塞がれることとなり、表示駆動回路からのノイズがアンテナ基板Ａｎに輻射されることを抑制できる。すなわち、液晶パネル１８の導電性背面カバー１９と第１筐体１１の金属製上部カバー１６との間隙を導電性ガスケット５０で封止するだけの比較的簡単な構成で、表示駆動回路から輻射されるノイズが無線通信用アンテナＡｎに及ぼす影響を軽減することができるのである。
【００３３】
尚、以上の実施形態では、遮光テープ１３に絶縁性のものが用いられていたが、本発明は、かかる場合に限定されるものではなく、導電性の遮光テープを用いる場合についても有効に適用することができる。この場合には、遮光テープにジグザグ状の傾斜や切欠部を設ける必要はなく、より簡単な構成で上述の作用効果を奏することができる。
【００３４】
更に、本発明は、遮光テープが用いられる場合に限定されるものではない。すなわち、バックライトを用いない表示パネルについては遮光テープそのものが不要であるが、本発明は、かかる場合についても有効に適用することができる。この場合には、遮光テープそのものが不要で、液晶パネル１８の導電性背面カバー１９と第１筐体１１の金属製上部カバー１６との間隙を導電性ガスケット５０のみで封止することができ、より一層簡単な構成で上述の作用効果を奏することができる。
【００３５】
また、以上の説明は、ノートパソコンを例にとったものであったが、本発明はかかる場合に限定されるものではなく、表示駆動回路で駆動制御される表示パネルを金属筐体内に格納した他の種々の電子機器、とりわけ、外部との無線通信電波を送受信する送受信面（例えば無線通信用アンテナ）を前記筐体内に備えた他の種々の電子機器、に組み込まれるノイズ低減装置においても、有効に適用することができる。
【００３６】
このように、本発明は、上述の実施形態や変形例に限定されるものではなく、その要旨を逸脱しない範囲において、種々の変更や設計上の改良等を行い得るものであることは、言うまでもない。
【産業上の利用可能性】
【００３７】
本発明は、例えばノートパソコンなどの電子機器におけるノイズ低減装置として、有効に利用することができる。
【符号の説明】
【００３８】
１１  第１筐体
１３  遮光テープ
１３ｋ  遮光テープの切欠部
１６  第１筐体の上部カバー
１８  液晶パネル
１９  導電性背面カバー
４５  ガスケット装着部
５０  導電性ガスケット
Ａｎ  アンテナ基板
Ｓｄ  表示モジュール基板
Ｗ  ノートパソコン
【図１】
2011082320.tif 000003
【図２】
2011082320.tif 000004
【図３】
2011082320.tif 000005
【図４】
2011082320.tif 000006
【図５】
2011082320.tif 000007
【図６】
2011082320.tif 000008
【図７】
2011082320.tif 000009
【図８】
2011082320.tif 000010
【図９】
2011082320.tif 000011
【図１０】
2011082320.tif 000012